(57)【要約】      （修正有）【課題】動作や時間の変化で作業をしているうちにコルセットの固定位置のズレのおそれがあっても、ズリ上がりを防ぎ脱着可能なコルセットズレ防止用補助ベルトを提供する。【解決手段】コルセットズレ防止用補助ベルトは、縦水平方向に伸びる足部右４ａおよび足部左４ｂと、足部右および足部左のそれぞれに設けられた基端部を腰部フック３に接続するための腰部補助具２と、腰部フックと接続するための腰部ル−プ１と、足部右および足部左それぞれに足部右フック５ａおよび足部左フック５ｂを接続するために設けられた先端部と、足部右フックおよび足部左フックを接続するための腹部ル−プ６と、を備える。コルセットの背面に腰部ル−プを固定し、正面に腹部ル−プを固定し、腰部フックを腰部ル−プに付着させ、左右の足部フックを両足の股を通して正面に折り返し、腹部ル−プに取り付ける。【選択図】図２
0003223619.tif 000002
【実用新案登録請求の範囲】
【請求項１】
人の腰痛を和らげるためのコルセットのズレを防止するコルセットズレ防止用補助ベルトであって、長手方向に伸びる足部右および足部左と、前記足部右および前記足部左の基端部に略直角方向に設けられた腰部補助具と、前記腰部補助具の背面に設けられた腰部フックと、前記足部右および前記足部左の先端部の背面に設けられた足部右フックおよび足部左フックと、を備えたことを特徴とするコルセットズレ防止用補助ベルト。
【請求項２】
前記腰部補助具、前記足部右、前記足部左は、非伸縮性のベルトおよびテ−プ状のものを用いたことを特徴とする請求項１記載のコルセットズレ防止用補助ベルト。
【請求項３】
請求項１または請求項２に記載の前記コルセットズレ防止用補助ベルトと、人の腹部側に設けられた腰部ル−プと、人の腹部側に設けられた腹部ル−プと、備えたことを特徴とするコルセット。
【請求項４】
前記腰部ル−プは請求項１に記載の足部右および足部左の基端部に接続され、
前記腹部ル−プは請求項１に記載の足部右フックおよび足部左フックに接続されていることを特徴とする請求項３記載のコルセット。
【請求項５】
前記コルセットの背面に前記腰部ル−プ、請求項１に記載の腰部フックを有し、前記コルセットの正面に請求項１に記載の足部右フックおよび足部左フック、前記腹部ル−プを有し、それぞれ面ファスナ−を用いたことを特徴とする請求項３記載のコルセット。
【請求項６】
前記コルセットの背面に対して請求項１に記載の腰部補助具、前記腰部フックを着脱自在とし、前記コルセットの正面に対して請求項１に記載の足部右フックおよび足部左フックを着脱自在としたことを特徴とする請求項３記載のコルセット。
【考案の詳細な説明】
【技術分野】
【０００１】
本考案は例えば人の腰痛を和らげるためのコルセットのズレを防止するための、コルセットズレ防止用補助ベルトおよびそれを備えたコルセットに関するものである。
【０００２】
従来、既存の腰痛を和らげるためのコルセットが数多く作られているが、既存のコルセットは、主に腰部を固定するだけの構造で、痛みを感じる必要な部位の位置に合わせて使用していた。
【先行技術文献】
【特許文献】
【０００３】
【特許文献１】実用新案登録第3123091号
【特許文献１】実用新案登録第3082885号
【考案の概要】
【考案が解決しようとする課題】
【０００４】
しかしながら、従来の既存のコルセットでは、主に腰部を固定するだけの構造で、痛みを感じる必要な部位の位置に合わせて使用していても、動作や時間の変化で作業をしているうちに必要な部位の位置にとどまることができず、ズリ上がって来るという問題点があった。
【課題を解決するための手段】
【０００５】
請求項１に記載のコルセットズレ防止用補助ベルトは、動作や時間の変化で作業中、コルセットを必要な部位の位置にとどめる事ができる。
【考案の効果】
【０００６】
上述の様に、コルセットズレ防止用補助ベルトを用いて、痛みの部位の位置にとどめ、動作や時間の変化で作業中の手を止めず、体形に応じた最適の位置に固定保持させることができ、さらに、高齢者や身体の不自由な人でも尿意をもようした際には、外すのが簡単で少しの力で脱着が可能となり用便に支障が生じない。また、すでに市販されている既存のコルセットにコルセットズレ防止用補助ベルトを後付けすることができる。
【図面の簡単な説明】
【０００７】
【図１】本考案のコルセットズレ防止用補助ベルトの実施例を示す正面図である。
【図２】本考案のコルセットズレ防止用補助ベルトの実施例を示す背面図である。
【図３】本考案のコルセットズレ防止用補助ベルトの使用面ファスナ−を示した説明図である。
【図４】本考案のコルセットズレ防止用補助ベルトを人に装着した場合の正面から見た展開図である。
【図５】本考案のコルセットズレ防止用補助ベルトを人に装着した場合の背面から見た使用状態を示す。
【考案を実施するための形態】
【実施例】
【０００８】
以下、添付図面に従って一実施例を説明する。
図１は、本考案のコルセットズレ防止用補助ベルトの実施例を示す正面図であり、点線部分は足部右4a、足部左４bの基端部４cの透視図である。図２は、本考案のコルセットズレ防止用補助ベルトの実施例を示す背面図である。図３は、本考案のコルセットズレ防止用補助ベルトの使用面ファスナ−を示した説明図であって、(A)は足部フック(メス側)の硬い表面を示し、(B)は腹部ル−プ(オス側)の柔らかい表面を示している。図４は、本考案のコルセットズレ防止用補助ベルトを人に装着した場合の正面から見た図であって、点線は該補助ベルトを水平方向に展開した図である。図５は、本考案のコルセットズレ防止用補助ベルトを人に装着した場合の背面から見た使用状態を示す。
【０００９】
図１〜図５において、１は腰部ル−プであり、既存のコルセットの背面に固定し取り付ける面ファスナ−のオスで、例えば長さ１５ｃｍ、幅５ｃｍ の大きさのものである。２は腰部補助具であり、背面の面ファスナ−のメスの土台となるもので、例えば長さ１５ｃｍ、幅５ｃｍ の大きさのものである。３は腰部フックであり、面ファスナ−のメスで腰部補助具２に固定して取り付けるもので、例えば長さ１５ｃｍ、幅５ｃｍ の大きさのものである。４aは足部右、４bは足部左であり、それぞれ一方を腰部補助具２に固定し取り付け、例えば長さ４０ｃｍ、幅２ｃｍ の大きさのものである。4ｃは足部右４a、足部左４bの一方の基端部である。５a は足部右フック、５bは足部左フックであり、足部右４a、足部左４bの他方にそれぞれ固定し取り付ける面ファスナ−のメスで、例えば長さ５ｃｍ、幅２ｃｍ の大きさのものである。５cは足部右４a、足部左４bの他方の先端部である。６は腹部ル−プであり、既存のコルセットの正面に固定し取り付ける面ファスナ−のオスで、例えば長さ２０ｃｍ、幅１０ｃｍ大きさのものである。７はコルセットであり、コルセット７は市販されている物を使用し、腰部補助具２、足部右４a、足部左４bには、アクリルまたは、綿、ポリプロピレン等のベルト、テ−プを用いている。
なお、面ファスナ−のメス、オスのファスナ−を入れ替えても構わない。また、面ファスナ−は両面テ−プでも良いし縫い付ける物でも構わない。また、面ファスナ−は汎用の面ファスナ−やメディカルファスナ−等に限定されず、ボタンやホック一対でも構わない。さらにまた、腰部ル−プ１、腰部補助具２、腰部フック３、足部右４a、足部左４b、足部右フック５a、足部左フック５b、腹部ル−プ６、の大きさ、形状あるいは材質については、上記に事例を説明しているが、特に限定されるものではない。
【００１０】
次に、本考案の組み立て方法および使用方法を図１〜図５に基づいて説明する。
コルセットズレ防止用補助ベルトにおいて、足部右４a、足部左４bのそれぞれ一方の基端部4ｃを腰部補助具２に固定し取り付けて基端部4ｃを構成する。左右の基端部4ｃを腰部補助具２に取り付け、腰部補助具２の背面に腰部フック３を重ねて固定し取り付けて基端部4ｃを作成する。足部右４aの他方に足部右フック５aを、足部左４bの他方に足部左フック５bをそれぞれに重ねて固定し取り付けて左右の先端部5ｃを作成する。
コルセット７の背面に腰部ル−プ１を固定し取り付ける。また、コルセット７の正面に腹部ル−プ６を固定し取り付ける。作成した基端部4ｃの腰部フック３をコルセット７の背面に取り付けた腰部ル−プ１に付着させる。左右の先端部5ｃを両足の股を通り、コルセット７の正面の方に折り返して、左右の先端部5ｃのそれぞれをコルセット７の正面の腹部ル−プ６の係止位置に合わせて上下に調整し、完成させる。
【００１１】
本考案の一実施例は、上述の如き構成からなるものであるから、コルセットズレ防止用補助ベルトを用いて、体形に応じた最適な位置にとどめることができ、動作や時間の変化で作業中、手を止めて何度も必要な部位の位置にやり替える手間を省くことができる。また、高齢者や身体の不自由な人でも尿意をもようした際には、外すのが簡単で装着性と着脱容易性に優れているので、用便に間に合わぬような事もなくなる。また、股下の中央を通らないため、蒸れることもなく、直接肌に使用した場合でも着用したまま 排泄が可能である。さらに、コルセットと分離できることにより、洗濯も容易にでき、市販されているコルセットに前記コルセットズレ防止用補助ベルトを後付けすることができ、古くなった場合には、取り替えることもできる。
なお、本考案の実施例では腰痛を和らげるためのコルセットについて説明したが、骨盤の矯正するための骨盤ベルト(例えば、医療用、スポ−ツ用、ファッション用等)に適用しても構わない。
【符号の説明】
【００１２】
１  腰部ル−プ
２  腰部補助具
３  腰部フック
４a 足部右
４b 足部左
４c 基端部
５a 足部右フック
５b 足部左フック
５c 先端部
６  腹部ル−プ 
７  コルセット
【図１】
0003223619.tif 000003
【図２】
0003223619.tif 000004
【図３】
0003223619.tif 000005
【図４】
0003223619.tif 000006
【図５】
0003223619.tif 000007